(57)【要約】      （修正有）【課題】初心者でも撮影した画像の不満点を容易に解消できるよう誘導するガイダンスを実現することが可能な撮像装置を提供する。【解決手段】撮像装置は、被写体を撮影する撮像部２２と、撮影した画像を表示する表示部２８と、複数の救済項目を記憶する不揮発性メモリと、表示部における画像を表示している領域に対する座標位置の入力を受け付ける受付手段２８と、撮影した画像と入力された座標位置から救済項目の数を絞り込むシステム制御部５０と、絞り込まれた複数の救済項目のうち一つを撮影者に選択させる選択手段２８と、選択された救済項目を撮影手段に設定する設定手段５０と、を有する。動画再生の一時停止中に、表示部における画像を表示している領域に対する座標位置の入力を受け付け、救済項目を表示するように制御し、表示された救済項目のうち選択された救済項目を撮像部に設定する。【選択図】図２
2017175312.tif 000002
【特許請求の範囲】
【請求項１】
被写体を撮影する撮影手段（２２）と、
撮影した画像を表示する表示手段（２８）と、
複数の救済項目を記憶する記憶手段（５６）と、
前記表示手段における前記画像を表示している領域に対する座標位置の入力を受け付ける受付手段（２８）と、
撮影した画像と入力された座標位置から救済項目の数を絞り込む絞り込み手段（５０）と、
絞り込まれた複数の救済項目のうち一つを撮影者に選択させる選択手段（２８）と、
選択された救済項目を撮影手段に設定する設定手段（５０）と、
を有する撮像装置であり、
動画再生の一時停止中に、前記表示手段における画像を表示している領域に対する座標位置の入力を受け付け、前記救済項目を表示するように制御する制御手段（５０）と、
表示された救済項目のうち選択された救済項目を撮影手段に設定する設定手段（５０）
と、を有することを特徴とする撮像装置。
【請求項２】
救済項目を撮影手段に設定後のボタン押しの種類により、撮影画面や再生画面への画面遷移を切り替える判定手段（５０）を持つことを特徴とする請求項１に記載の撮像装置。
【請求項３】
ファイル属性が一定の条件を満たしているときのみに、救済項目を表示するように制御する制御手段（５０）と、
表示された救済項目のうち選択された救済項目を撮影手段に設定する設定手段（５０）
と、を有することを特徴とする請求項１に記載の撮像装置。
【請求項４】
ファイル属性は、撮影時刻、撮影位置、ファイル名のいずれかであることを特徴とする請求項３に記載の撮像装置。
【請求項５】
タッチ操作により操作を行うことを特徴とする請求項１乃至請求項４の何れか一項に記載の撮像装置。
【請求項６】
絞り込み手段（５０）では、顔の有無および位置、合焦点の有無および位置、画像解析結果を用いることを特徴とする請求項１乃至請求項５の何れか一項に記載の撮像装置。
【発明の詳細な説明】
【技術分野】
【０００１】
本発明は、デジタルカメラのガイダンスに関し、特に初心者でも撮影した画像の不満点を容易に解消できるよう誘導するガイダンスに関する。
【背景技術】
【０００２】
従来、ガイダンスは設定する機能の説明をおこなうもの、撮影者の入力でヘルプを検索するもの、撮影のアドバイスを表示するもの、操作のやり方を説明するものなどがあった。
【０００３】
しかし、それらはある程度カメラの機能や用語を理解していることが前提であり、の初心者が使用するのは困難であった。特に撮影した画像に不満がある場合、画像がおかしいのはわかるが、どの設定を変更すればいいのかがわからずに修正できないでいた。
【０００４】
特許文献１には、撮影した画像を失敗画像データベースで検索し救済情報を取得する技術が開示されている。
【０００５】
しかし、失敗画像データベースで取得した救済情報が真に撮影者に必要な情報ではないことも多く、救済にならない場合もあった。
【０００６】
特許文献２には、サンプル画像を選択してカメラにパラメータ設定することが開示されている。
【０００７】
しかし、所望のサンプル画像に到達するのに時間がかかったり、撮影状況に対応したサンプル画像がなかったりする場合もあった。
【先行技術文献】
【特許文献】
【０００８】
【特許文献１】特開２００４−１２８７０１号公報
【特許文献２】特開２００２−１５２５８６号公報
【発明の概要】
【発明が解決しようとする課題】
【０００９】
特許文献１に開示された従来技術では、失敗画像データベースで取得した救済情報が真に撮影者に必要な情報ではないことも多く、救済にならない場合もあった。
【００１０】
そこで、本発明の目的は、初心者でも撮影した画像の不満点を容易に解消できるよう誘導するガイダンスを実現するとともに、動画再生画面でユーザーに救済内容を選択させ、救済撮影パラメータをカメラに設定することで、動画撮影においても不満点を解消した撮影をすることが可能な撮像装置を提供することにある。
【課題を解決するための手段】
【００１１】
上記の目的を達成するために、本発明に係る撮像装置は、
被写体を撮影する撮影手段（２２）と、
撮影した画像を表示する表示手段（２８）と、
複数の救済項目を記憶する記憶手段（５６）と、
前記表示手段における前記画像を表示している領域に対する座標位置の入力を受け付ける受付手段（２８）と、
撮影した画像と入力された座標位置から救済項目の数を絞り込む絞り込み手段（５０）と、
絞り込まれた複数の救済項目のうち一つを撮影者に選択させる選択手段（２８）と、
選択された救済項目を撮影手段に設定する設定手段（５０）と、
を有する撮像装置であり、
動画再生の一時停止中に、前記表示手段における画像を表示している領域に対する座標位置の入力を受け付け、前記救済項目を表示するように制御する制御手段（５０）と、
表示された救済項目のうち選択された救済項目を撮影手段に設定する設定手段（５０）と、を有することを特徴とする。
【発明の効果】
【００１２】
本発明に係る撮像装置によれば、初心者でも撮影した画像の不満点を容易に解消できる救済策に誘導することが可能になり、動画再生画面でユーザーに救済内容を選択させ、救済撮影パラメータをカメラに設定することで、動画撮影においても不満点を解消した撮影をすることが可能になる。
【図面の簡単な説明】
【００１３】
【図１】デジタルカメラの外観図
【図２】デジタルカメラのブロック図
【図３】メインフローチャート
【図４】フローチャート
【図５】フローチャート
【図６】座標系の説明図
【図７】画像表示図
【図８】タッチ位置とガイダンスの対応図
【図９】実施例２のフローチャート
【図１０】実施例３のメインフローチャート
【発明を実施するための形態】
【００１４】
以下に、本発明の好ましい実施の形態を、添付の図面に基づいて詳細に説明する。
【実施例１】
【００１５】
以下、図面を参照して、本発明の第１の実施例によるガイダンスについて説明する。
【００１６】
図１（ａ）、（ｂ）に、本発明の撮像装置の一例としてのデジタルカメラの外観図を示す。図１（ａ）はデジタルカメラ１００の前面斜視図であり、図１（ｂ）はデジタルカメラ１００の背面斜視図である。
【００１７】
図１において、表示部２８は画像や各種情報を表示する表示部である。
【００１８】
シャッターボタン６１は撮影指示を行うための操作部である。
【００１９】
モード切替スイッチ６０は各種モードを切り替えるための操作部である。
【００２０】
端子カバー４０は該部機器との接続ケーブルとデジタルカメラ１００とを接続する接続ケーブル等のコネクタ（不図示）を保護するカバーである。
【００２１】
メイン電子ダイヤル７１は操作部７０に含まれる回転操作部材であり、このメイン電子ダイヤル７１を回すことで、シャッター速度や絞りなどの設定値の変更等が行える。
【００２２】
電源スイッチ７２はデジタルカメラ１００の電源のＯＮ及びＯＦＦを切り替える操作部材である。
【００２３】
サブ電子ダイヤル７３は操作部７０に含まれ、操作部７０に含まれる回転操作部材であり、選択枠の移動や画像送りなどを行える。
【００２４】
十字キー７４は操作部７０に含まれ、上、下、左、右部分をそれぞれ押し込み可能な十字キーである。十字キー７４の押した部分に応じた操作が可能である。
【００２５】
ＳＥＴボタン７５は操作部７０に含まれ、押しボタンであり、主に選択項目の決定などに用いられる。
【００２６】
ＬＶボタン７６は操作部７０に含まれ、静止画撮影モードにおいてライブビュー（以下、ＬＶ）のＯＮとＯＦＦを切り替えるボタンである。動画撮影モードにおいては、動画撮影（記録）の開始、停止の指示に用いられる。
【００２７】
拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。
【００２８】
再生ボタン７８は操作部７０に含まれ、撮影モードと再生モードとを切り替える操作ボタンである。撮影モード中に再生ボタン７８を押下することで再生モードに移行し、記録媒体２００に記録された画像のうち最新の画像を表示部２８に表示させることができる。
【００２９】
ＭＥＮＵボタン７９は操作部７０に含まれ、撮影モードとメニューモードとを切り替える操作ボタンである。
【００３０】
クイックリターンミラー１２は、システム制御部５０から指示されて、不図示のアクチュエータによりアップダウンされる。
【００３１】
通信端子１０はデジタルカメラ１００がレンズ側（着脱可能）と通信を行う為の通信端子である。
【００３２】
接眼ファインダー１６はフォーカシングスクリーン１３を観察することで、レンズユニット１５０を通して得た被写体の光学像の焦点や構図の確認を行うための覗き込み型のファインダーである。
【００３３】
蓋２０２は記録媒体２００を格納ひたスロットの蓋である。
【００３４】
グリップ部９０は、ユーザーがデジタルカメラ１００を構えた際に右手で握りやすい形状とした保持部である。
【００３５】
フラッシュ１９はデジタルカメラ１００に内蔵された閃光装置である。
【００３６】
図２は本実施形態によるデジタルカメラ１００の構成例を示すブロック図である。
【００３７】
図２において、レンズユニット１５０は、交換可能な撮影レンズを搭載するレンズユニットである。
【００３８】
レンズ１０３は通常、複数枚のレンズから構成されるが、ここでは簡略して一枚のレンズのみで示している。
【００３９】
通信端子６はレンズユニット１５０がデジタルカメラ１００側と通信を行う為の通信端子であり、通信端子１０はデジタルカメラ１００がレンズユニット１５０側と通信を行う為の通信端子である。
【００４０】
レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００４１】
ＡＥセンサー１７は、レンズユニット１５０を通した被写体の輝度を測光する。
【００４２】
焦点検出部１１は、システム制御部５０にデフォーカス量情報を出力する。システム制御部５０はそれに基づいてレンズユニット１５０を制御し、位相差ＡＦを行う。
【００４３】
クイックリターンミラー１２（以下、ミラー１２）は、露光、ライブビュー撮影、動画撮影の際にシステム制御部５０から指示されて、不図示のアクチュエータによりアップダウンされる。
【００４４】
ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００４５】
撮影者は、ペンタプリズム１４とファインダー１６を介して、フォーカシングスクリーン１３を観察することで、レンズユニット１５０を通して得た被写体の光学像の焦点や構図の確認が可能となる。
【００４６】
フォーカルプレーンシャッター１０１は、システム制御部５０の制御で撮像素子部２２の露光時間を自由に制御できるフォーカルプレーンシャッターである。
【００４７】
撮像部２２は光学像を電気信号に変換するＣＣＤやＣＭＯＳ素子等で構成される撮像素子である。
【００４８】
Ａ／Ｄ変換器２３は、アナログ信号をデジタル信号に変換する。Ａ／Ｄ変換器２３は、撮像部２２から出力されるアナログ信号をデジタル信号に変換するために用いられる。
【００４９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００５０】
Ａ／Ｄ変換器２３からの出力データは、画像処理部２４及びメモリ制御部１５を介して、或いは、メモリ制御部１５を介してメモリ３２に直接書き込まれる。
【００５１】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００５２】
Ｄ／Ａ変換器２５は、メモリ３２に格納されている画像表示用のデータをアナログ信号に変換して表示部２８に供給する。こうして、メモリ３２に書き込まれた表示用の画像データはＤ／Ａ変換器２５を介して表示部２８により表示される。
【００５３】
表示部２８は、ＬＣＤ等の表示器上に、Ｄ／Ａ変換器２５からのアナログ信号に応じた表示を行う。Ａ／Ｄ変換器２３によって一度Ａ／Ｄ変換されメモリ３２に蓄積されたデジタル信号をＤ／Ａ変換器２５においてアナログ変換し、表示部２８に逐次転送して表示することで、電子ビューファインダとして機能し、スルー画像表示（ライブビュー表示）を行える。
【００５４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００５５】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。
【００５６】
システムメモリ５２には、システム制御部５０の動作用の定数、変数、不揮発性メモリ５６から読み出したプログラム等を展開する。また、システム制御部はメモリ３２、Ｄ／Ａ変換器２５、表示部２８等を制御することにより表示制御も行う。
【００５７】
システムタイマー５３は各種制御に用いる時間や、内蔵された時計の時間を計測する計時部である。
【００５８】
フラッシュ制御回路５４は、フラッシュ１９を制御する回路である。フラッシュ１９のポップアップや発光タイミング、発光量の調整を行う。
【００５９】
モード切替スイッチ６０、第１シャッタースイッチ６２、第２シャッタースイッチ６４、操作部７０はシステム制御部５０に各種の動作指示を入力するための操作手段である。
【００６０】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００６１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。
【００６２】
第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００６３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００６４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００６５】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、再生ボタン７８。
【００６６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００６７】
電源部３０は、アルカリ電池やリチウム電池等の一次電池やＮｉＣｄ電池やＮｉＭＨ電池、Ｌｉ電池等の二次電池、ＡＣアダプター等からなる。
【００６８】
記録媒体Ｉ／Ｆ１８は、メモリカードやハードディスク等の記録媒体２００とのインターフェースである。
【００６９】
記録媒体２００は、撮影された画像を記録するためのメモリカード等の記録媒体であり、半導体メモリや磁気ディスク等から構成される。
【００７０】
なお、操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩを構成することができる。
【００７１】
システム制御部５０はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。短時間の間にタッチパネルを指やペンで連続して２回触れたこと（以下、ダブルタッチダウンと称する）。一定時間以上タッチパネルを指やペンで触れている状態であること（以下、タッチロングオンと称する）。同時にタッチパネルを複数の指やペンで触れたこと。（以下、マルチタッチダウンと称する）。これらの操作や、タッチパネル上に指やペンが触れている位置座標は内部バス１１１を通じてシステム制御部５０に通知され、システム制御部５０は通知された情報に基づいてタッチパネル上にどのような操作が行なわれたかを判定する。
【００７２】
ムーブについてはタッチパネル上で移動する指やペンの移動方向についても、位置座標の変化に基づいて、タッチパネル上の垂直成分・水平成分毎に判定できる。
【００７３】
またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。
【００７４】
また、所定距離以上を、所定速度未満でムーブしたことが検出された場合はドラッグが行なわれたと判定するものとする。
【００７５】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００７６】
実施例の動作を説明する前に、本発明で使用する座標系について説明する。
【００７７】
フォーカシングスクリーン１３、表示部２８、撮像部２２、および生成される画像のアスペクトは１３５フィルムと同じ３：２の画角であるのですべて同じ座標系で正規化して表現する。
【００７８】
図７にみるように横軸ｘ、縦軸ｙとし中心を原点（ｘ＝０、ｙ＝０）とすると、画角は横軸−１．５〜＋１．５、縦軸−１〜＋１で表現できる。たとえば、ｘとｙの組み合わせを（ｘ、ｙ）と表現すると右上隅は（１．５、１．０）、右下隅は（１．５、−１．０）と現せられる。
【００７９】
焦点検出部１１の測距エリアが図７のＡＦＰ１からＡＦＰ９のように９点配置されているような場合、ＡＦＰ１は（−０．６、０．５）、ＡＦＰ５は（０、０）、ＡＦＰ９は（０．６、−０．５）と表現できる。
【００８０】
また、写真表現として主被写体は黄金分割エリアに配置すべしといた構図法があるが、そのエリアを含むような範囲を図７のＧ−ＡＲＥＡとするとＧ−ＡＲＥＡの範囲は右上の座標と左下の座標を用いて（（０．９、０．６）、（−０．９、−０．６））という風に表現できる。
【００８１】
また、ＣＩＲＣＬＥは原点を中心とした直径１．６の円を示しているが画面位置（ｘ、ｙ）がｘの２乗＋ｙの２乗が１．６の２乗より大きい場合ＣＩＲＣＬＥの外側にあると判定される。図７を見ればわかるようにＣＩＲＣＬＥの外側にある場合の画面位置（ｘ、ｙ）は画角の四隅を現している。
【００８２】
また画面位置（ｘ１、ｙ１）と（ｘ２、ｙ２）の距離は√（ｘ１−ｘ２）＾２＋（ｙ１−ｙ２）＾２で求めることができる。
【００８３】
本実施例では、座標位置を現す変数をＦＰＯＳ、ＴＰＯＳのようにＰＯＳを付けて示すが、実際にはｘ座標、ｙ座標の２つの要素を持つ配列として処理される。
【００８４】
図３は実施例１における撮影処理のフローチャートである。このフローチャートにおける各処理はシステム制御部５０が不揮発性メモリ５６に格納されたプログラムを実行することにより実現される。
【００８５】
再生ボタン７８が押されると電源制御部８０が起動しシステム制御部５０の電源を給電開始する。システム制御部５０は図３のステップＳ１００より実行を開始する。
【００８６】
ここでは、再生ファイルとして動画ファイルを再生開始した時のフローについて説明する。
【００８７】
また、表示画像を切り換え、別の動画ファイルを再生開始した場合には、実行中のステップを中断し、改めてステップＳ１００より開始するものとする。
【００８８】
各制御パラメータは直前の撮影時のものを引き継ぐ。ＡＦＰ、ＰＲＯＧ、ＥＸＰＡＤＪ、ＰＡＲＡＭ、ＷＢ、ＷＢＡＤＪ、ＶＩＧＡＤＪはシステムメモリ５２に配置された変数である。
【００８９】
［ステップＳ１０１］動画終了
再生中の動画ファイルが記録時間分の再生を完了したかを判断する。記録時間の再生を完了した場合はステップを終了し、完了していない場合はステップＳ１０２へすすむ。
【００９０】
［ステップＳ１０２］再生表示
図７の（ｂ）のように動画再生画像を表示部２８に表示する。なお画面の数字は説明のために記載したものである。
【００９１】
［ステップＳ１０３］一時停止
操作部７０の操作により動画再生が一時停止されたかを判断する。一時停止された場合はステップＳ１０４へ、一時停止されていない場合はステップＳ１０１へすすむ。
【００９２】
［ステップＳ１０４］ＨＥＬＰアイコン表示
図７の（ａ）のように表示部２８の右上隅にＨＥＬＰアイコンを表示する。
【００９３】
［ステップＳ１０５］ＴＩＭＥＲクリア
システムタイマー５３をリセットする。
【００９４】
［ステップＳ１０６］ＨＥＬＰアイコンタッチ
ＨＥＬＰアイコンがタッチされたか否かを判定する。タッチされていなければステップＳ１０７へ、タッチされればステップＳ１０９へすすむ。
【００９５】
［ステップＳ１０７］ＴＩＭＥＲ＞３０秒
タイマーが３０秒経過したかどうかを判定する。３０秒経過していなければステップＳ１０８へ、経過していればステップＳ１０８へすすむ。
【００９６】
［ステップＳ１０８］ＨＥＬＰアイコン非表示
ＨＥＬＰアイコンを非表示にする。したがってＨＥＬＰアイコンがタッチされなければ３０秒間画像を表示してＨＥＬＰアイコンを非表示にしたのちに再生の一時停止を解除して動画再生が行われる。
【００９７】
［ステップＳ１０９］顔検出
システム制御部５０は顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をシステムメモリ５２に記憶する。また、顔画像の位置を変数ＦＰＯＳに格納する。
【００９８】
以上のように画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
顔画像の位置はＦＰＯＳに格納される。
【００９９】
［ステップＳ１１０］画像解析
画像処理した画像データを解析して、どのようなシーンで撮影されたかを判定する。本実施例では、夕焼けか否かを判定し、夕焼けのシーンと判定された場合は変数ＳＣＮに夕焼けを格納、それ以外のシーンではＳＣＮにその他を格納する。さらに、画像ファイルに記録されているＥＸＩＦ（Ｅｘｃｈａｎｇｅａｂｌｅ  Ｉｍａｇｅ  Ｆｉｌｅ  Ｆｏｒｍａｔ）情報を解析し撮影時の変数を抽出する。撮影時の変数としては合焦した測距エリアの座標がある。合焦した測距エリアの座標をＪＦＰＯＳに格納する。格納後、図４のフローチャートのＡのＳ２００に遷移する。撮影者がＨＥＬＰアイコンをタッチするとステップＳ１１１で図４のフローチャートのＡのステップＳ２００へ進む。
【０１００】
［ステップＳ２０１］画像表示
図７の（ｂ）の画像を表示部２８に表示する。なお画面の数字は説明のために記載したものである。
【０１０１】
［ステップＳ２０２］タッチ
表示部２８がタッチされたかどうかを判定し、タッチされるまで待ち続ける。タッチされるとステップＳ２０３に進む。
【０１０２】
［ステップＳ２０３］タッチ座標取得
タッチされた位置を取得し変数ＴＰＯＳに書き込む。
【０１０３】
［ステップＳ２０４］ＴＰＯＳがＦＰＯＳ近傍
タッチ位置が検出された顔位置近傍にあるかを判定する。ＴＰＯＳとＦＰＯＳ間の距離を計算し所定の閾値内にあるかを判定する。近傍であるか否かは所定の閾値でもかまわないし、また検出された顔の大きさを勘案した閾値でも良い。顔位置近傍と判断した場合はステップＳ２０５へ、顔位置近傍ではない場合はステップ２２４へ分岐する。
【０１０４】
［ステップＳ２０５］ＴＰＯＳがＪＦＰＯＳの近傍
タッチ位置が合焦した測距エリアの座標ＪＦＰＯＳの近傍であるかを判定する。近傍であれば、ステップ２０６へ。近傍でなければステップ２２１へ分岐する。ステップ２０４から２０５での判定は、たとえば図７の（ｂ）では（ｉ）の女性の顔部分にタッチしたかどうかを判定している。顔があれば主被写体である可能性が高く、さらにそこが合焦してピントがあっているならば、撮影者は主被写体の写真的パラメータに不満があると判定できる。
【０１０５】
［ステップＳ２０６］ＣＯＬ（１）＝”明るく・暗く”
文字配列の変数ＣＯＬ（１）に「明るく・暗く」の文字列を格納する。
【０１０６】
［ステップＳ２０７］ＣＯＬ（２）＝”色味”
文字配列の変数ＣＯＬ（２）に「色味」の文字列を格納する。
【０１０７】
［ステップＳ２０８］ＣＯＬ（３）＝”肌を美しく”
文字配列の変数ＣＯＬ（３）に「肌を美しく」の文字列を格納する。
【０１０８】
［ステップＳ２１１］吹き出し、ＣＯＬ１〜３表示
表示部２８に図７（ｃ）のように画像を表示する。タッチした位置から吹き出しを表示。吹き出し内にＣＯＬ（１）からＣＯＬ（３）に設定した文字列を表示させる。ピントが合っている顔を選択した場合は「明るく・暗く／色味／肌を美しく」のように表示される。
【０１０９】
［ステップＳ２１２］タッチ
表示部２８がタッチされたか否かを判別する。タッチされればステップＳ２１３へ。されなければステップＳ２１２を繰り返し実行してタッチされるまでループして待つ。
【０１１０】
［ステップＳ２１３］タッチ座標取得
タッチ座標を取得する。
【０１１１】
［ステップＳ２１４］ＣＯＬ（１）をタッチ
ＣＯＬ（１）の文字列を表示している領域をタッチしたか否かを判定する。タッチされたらステップＳ２１５へ。されていなければステップＳ２１６へ。
【０１１２】
［ステップＳ２１５］ＤＥＭ＝ＣＯＬ（１）
文字列変数ＤＥＭにＣＯＬ（１）の文字列を格納する。ピントの合っている顔を選択した場合は「明るく・暗く」が格納される。格納後図５のフローチャートのＢのＳ３００に遷移する。
【０１１３】
［ステップＳ２１６］ＣＯＬ（２）をタッチ
ＣＯＬ（２）の文字列を表示している領域をタッチしたか否かを判定する。タッチされたらステップＳ２１７へ。されていなければステップＳ２１８へ。
【０１１４】
［ステップＳ２１７］ＤＥＭ＝ＣＯＬ（２）
文字列変数ＤＥＭにＣＯＬ（１）の文字列を格納する。ピントの合っている顔を選択した場合は「色味」が格納される。格納後図５のフローチャートのＢのＳ３００に遷移する。
【０１１５】
［ステップＳ２１８］ＣＯＬ（３）をタッチ
ＣＯＬ（３）の文字列を表示している領域をタッチしたか否かを判定する。タッチされたらステップＳ２１９へ。されていなければ、吹き出し以外の部分をタッチされたのでステップＳ２１２へ戻り再度タッチ待ちする。
【０１１６】
［ステップＳ２１９］ＤＥＭ＝ＣＯＬ（３）
文字列変数ＤＥＭにＣＯＬ（３）の文字列を格納する。ピントの合っている顔を選択した場合は「肌を美しく」または「フラッシュ禁止」が格納される。格納後図５のフローチャートのＢのＳ３００に遷移する。
【０１１７】
このようにして、ピントの合っている顔を選択した場合は、主被写体の写真的パラメータに関する「明るく・暗く」「色味」「肌を美しく」の３つの選択肢を表示して選択させることで、撮影者に少ない選択肢から最適な設定項目を選ばせることができる。これにより、動画撮影においても不満点を解消することが可能になる。
【０１１８】
［ステップＳ２２１〜Ｓ２２３］
ステップＳ２０４からＳ２０５での判定で、図７の（ｂ）の（ｉ）の女性の顔部分にタッチしたが、合焦点ではなかった場合ステップＳ２２１に分岐する。顔があれば主被写体である可能性が高く、ピントがあっていないならば、撮影者はピントに不満があると判定できる。そこでステップＳ２２１〜Ｓ２２３にて「ピントをここに／明るく・暗く／肌を美しく」のように選択肢を設定する。ステップＳ２０４でタッチ位置が顔近傍ではなかった場合、ステップＳ２２４へ分岐する。
【０１１９】
［ステップＳ２２４］ＴＰＯＳがＪＦＰＯＳ近傍
タッチした位置が合焦点近傍であるかどうかを判定、近傍ならばステップＳ２２５へ。近傍でなければステップＳ２２８へ分岐する。タッチした位置が合焦点だった場合、タッチした位置が顔でない主被写体であると判定できる。図７の（ｂ）では（ｉｉ）のヨット部分にピントが合っていて、その部分をタッチしたというような場合である。この場合も撮影者は主被写体の写真的パラメータに不満があると判定できる。
【０１２０】
［ステップＳ２２５〜Ｓ２２７］
ステップＳ２２１〜Ｓ２２３にて「明るく・暗く／色味／ぼかす・くっきり」のように選択肢を設定する。顔が検出されていないので、「肌を美しく」という要望はありえない。そこで、次に要望の高い「ぼかす・くっきり」がＣＯＬ（３）に設定される。ステップＳ２２４でタッチ位置が合焦位置近傍ではなかった場合、ステップＳ２２８へ分岐する。
【０１２１】
［ステップＳ２２８］ＴＰＯＳが黄金分割枠内
タッチした位置が黄金分割枠内であるかどうかを判定する。黄金分割枠内ならばステップＳ２２９へ。黄金分割枠外であればステップＳ２３２へ分岐する。図６でＧ−ＡＲＥＡとして示した画面の黄金分割枠の内側をタッチした場合を判定する。図７の（ｂ）では（ｉｉ）のヨット部分にピントが合っていない場合に、その部分をタッチしたというような場合である。写真における主被写体は、黄金分割枠内にある確率が高く、わざわざそこをタッチしたというのは撮影者は主被写体のピントに不満があると判定できる。
【０１２２】
［ステップＳ２２９〜Ｓ２３１］
ステップＳ２２９〜Ｓ２３１にて「ピントをここに／明るく・暗く／色味」のように選択肢を設定する。顔が検出されていないので、「肌を美しく」という要望はありえないので、次に要望の高い「色味」がＣＯＬ（３）に設定される。ステップＳ２２８でタッチした位置が黄金分割枠外だった場合、ステップＳ２３２へ分岐する。
【０１２３】
［ステップＳ２３２］ＳＣＮが夕焼け
ステップＳ２２８でタッチした位置が黄金分割枠外と判定されたので、ステップＳ２３２以降は背景をタッチした可能性が高いと判断できる。ステップＳ１２５の画像解析で夕焼けと判定された場合ステップＳ２３３へ分岐、夕焼けではない場合はステップＳ２３６へ分岐する。
【０１２４】
［ステップＳ２３３〜Ｓ２３５］
ステップＳ２３３〜Ｓ２３５にて「夕焼けの色を変える／明るく・暗く／色味」のように選択肢を設定する。夕焼けのシーンでは、まず赤い夕日の色を際立たせたいという要望がもっとも多いためＣＯＬ（１）に「夕焼けの色を変える」を設定する。ステップＳ２３２でＳＣＮが夕焼けではなかった場合、ステップＳ２３６へ分岐する。
【０１２５】
［ステップＳ２３６］√（Ｘｔｐ＾２＋Ｙｔｐ＾２）＞３．２
タッチした位置が図６のＣＩＲＣＬＥより外側にあるかどうか、つまり画面の隅をタッチしたかどうかを判定する。ＴＰＯＳのＸ座標をＸｔｐ、Ｙ座標をＹｔｐとして原点０、０からの距離を計算する。外側ならステップＳ２３７へ、内側ならステップＳ２４０へ分岐する。
【０１２６】
［ステップＳ２３７〜Ｓ２３９］
ステップＳ２３３〜Ｓ２３５にて「隅を明るく／明るく・暗く／色味」のように選択肢を設定する。図７の（ｂ）では（ｉｉｉ）部分をタッチした場合である。画面の隅ではレンズの周辺光量落ちの不満点が最も多いのでＣＯＬ（１）に「隅を明るく」を設定する。
ステップＳ２３６でタッチ位置が画面隅ではなかった場合、ステップ２４０へ分岐する。
【０１２７】
［ステップＳ２４０］Ｘｔｐ＞０．６
タッチした位置のＸ座標が０．６より大きいかどうか、つまり画面の上側をタッチしたかどうかを判定する。上側ならステップＳ２４１へ、下側ならステップＳ２４５へ分岐する。
【０１２８】
［ステップＳ２４１］ＴＰＯＳの周辺画素の青の割合大
タッチした位置の周辺の画素を抽出、ＲＧＢの割合を判定して青が多い場合はステップ２４２へ。そうでなければステップ２４５へ分岐する。
【０１２９】
［ステップＳ２４２〜Ｓ２４４］
ステップＳ２４２〜Ｓ２４４にて「空を青く／明るく・暗く／色味」のように選択肢を設定する。画面上側の青色部分、つまり空をタッチした、図７の（ｂ）では（ｉｖ）部分をタッチした場合である。空をタッチした場合は、空の青色を変更したいという要望がもっとも多いためＣＯＬ（１）に「空を青く」を設定する。ステップＳ２４０、２４１でタッチ位置が空ではなかった場合、ステップ２４５へ分岐する。
【０１３０】
［ステップＳ２４５］ＴＰＯＳの周辺画素の緑の割合大
タッチした位置の周辺の画素を抽出、ＲＧＢの割合を判定して緑が多い場合はステップ２４６へ。そうでなければステップ２４９へ分岐する。
【０１３１】
［ステップＳ２４６〜Ｓ２４８］
「緑の色を深く／明るく・暗く／色味」のように選択肢を設定する。緑部分、つまり樹木の葉をタッチした場合、図７の（ｂ）では（ｖ）部分をタッチした場合である。緑をタッチした場合は、樹木の緑を変更したいという要望がもっとも多いためＣＯＬ（１）に「緑の色を深く」を設定する。ステップＳ２４５でタッチ位置が緑ではなかった場合、ステップ２４９へ分岐する。
【０１３２】
［ステップＳ２４９］Ｘｔｐ＞０．６
再度タッチした位置のＸ座標が０．６より大きいかどうか、つまり画面の上側をタッチしたかどうかを判定する。上側ならステップＳ２５０へ、下側ならステップＳ２５３へ分岐する。
【０１３３】
［ステップＳ２５０〜Ｓ２５２］
「ぼかす・くっきり／明るく・暗く／色味」のように選択肢を設定する。
【０１３４】
［ステップＳ２５３〜Ｓ２５５］
「ぼかす・くっきり／明るく・暗く／色味」のように選択肢を設定する。ステップＳ２００からＳ２５５までの動作をまとめたものが図８になる。初心者の撮影者が要望するピントをここに、ぼかすくっきり、明るく暗く、空の色を青く緑の色を深く、肌を美しく、色味、夕焼けの色を変える、隅を明るくといった選択肢をすべて表示するのではなく、タッチされた位置、顔位置、合焦位置、画像解析、周辺画素の色などで、最適な項目を絞り込み、撮影者に容易に選択させることが可能になる。撮影者が選択した要望が変数ＤＥＭに格納されることで図５のステップＳ３００に遷移する。
【０１３５】
［ステップＳ３０１］ＤＥＭ＝”ピントをここに”
撮影者の選択した要望が「ピントをここに」かどうかを判定する。「ピントをここに」だった場合はステップＳ３０２へ。違う場合はステップＳ３０６へ分岐する。
【０１３６】
［ステップＳ３０２］ＡＦＰ＝至近の測距エリア番号
タッチした位置座標ＴＰＯＳと各測距エリアの位置座標の距離を計算して、もっとも近い測距エリア番号をＡＦＰに格納する。
【０１３７】
［ステップＳ３０３］設定を変更しました。再度撮影してください表示
図７の（ｅ）に現すように表示部に「設定を変更しました。再度撮影してください」の文言を表示する。
【０１３８】
［ステップＳ３５０］ＳＥＴ
ＳＥＴボタン７５が押されているかどうかを判定する。押されていればステップＳ３５１に進み、押されていなければ、ステップＳ３５０をＳＥＴボタン７５が押されるまで繰り返し実行する。
【０１３９】
［ステップＳ３５１］ミラーアップ＆動画撮影準備
クイックリターンミラー１２を不図示のアクチュエータによりアップ状態にして、撮像部２２へと光束を導き、表示部２８にライブビュー表示を行いフローチャートを終了する。
ユーザーはこの状態で不図示の動画記録開始ボタンを押すことで動画記録を行うことができる。ここでは、ステップＳ３５０でＳＥＴボタン押しでライブビュー表示を行うことにしていたが、ＳＥＴボタンではなく不図示の動画記録開始ボタン押しでライブビュー表示を行うことにしてもよい。ステップＳ３０１で「ピントをここに」ではなかった場合ステップＳ３０６に分岐する。
【０１４０】
［ステップＳ３０６］ＤＥＭ＝”ぼかす・くっきり”
撮影者の選択した要望が「ぼかす・くっきり」かどうかを判定する。「ぼかす・くっきり」だった場合はステップＳ３０７へ。違う場合はステップＳ３１４へ分岐する。
【０１４１】
［ステップＳ３０７］ぼかすボタンくっきりボタン表示
図７の（ｄ）に現すように表示部にぼかすボタンとくっきりボタンを表示する。
【０１４２】
［ステップＳ３０８］タッチ
表示部２８がタッチされたか否かを判別する。タッチされればステップＳ３０９へ。されなければステップＳ３０８を繰り返し実行してタッチされるまで待つことになる。
【０１４３】
［ステップＳ３０９］タッチ座標取得
タッチ座標を取得する。
【０１４４】
［ステップＳ３１０］ぼかしボタンをタッチ
ぼかしボタンを表示している領域をタッチしたか否かを判定する。タッチされたらステップＳ３１１へ。されていなければステップＳ３１２へ分岐する。
【０１４５】
［ステップＳ３１１］ＰＲＯＧ＝Ｆ１．８
変数ＰＲＯＧにＦ１．８を格納する。その後ステップＳ３０３からＳ３０５でシャッターボタン６１の半押し待ち後図３のメインフローチャートのステップＳ１３１に戻る。
【０１４６】
Ｆ１．８絞り優先プログラムで演算し撮影するので、被写界深度の浅い背景のぼけた写真の撮影を行うことができる。
【０１４７】
［ステップＳ３１２］くっきりボタンをタッチ
くっきりボタンを表示している領域をタッチしたか否かを判定する。タッチされたらステップＳ３１３へ。されていなければステップＳ３０８へ戻って再度タッチ待ちを行う。
【０１４８】
［ステップＳ３１３］ＰＲＯＧ＝Ｆ１６
ＰＲＯＧにＦ１６を格納する。Ｆ１６絞り優先プログラムで演算し撮影するので、被写界深度の深い背景のくっきりした写真の撮影を行うことができる。ステップＳ３０６で「ぼかす・くっきり」ではなかった場合ステップＳ３１４に分岐する。
【０１４９】
［ステップＳ３１４］ＤＥＭ＝”明るく・暗く”
撮影者の選択した要望が「明るく・暗く」かどうかを判定する。「明るく・暗く」だった場合はステップＳ３１５へ。違う場合はステップＳ３２２へ分岐する。ステップＳ３１５からＳ３２１ではステップＳ３０７からＳ３１３と同様に、明るくボタン暗くボタンを表示、明るくボタンをタッチした場合はＥＸＰＡＤＪ＝＋１、暗くボタンをタッチした場合はＥＸＰＡＤＪ＝−１に設定される。この後図３のメインフローチャートに戻ると、測光演算関数のステップＳ５０２でＥＸＰＡＤＪを足した測光値で演算されるので、ＥＸＰＡＤＪ＝＋１では、１段分明るい写真が撮影でき、ＥＸＰＡＤＪ＝−１では、１段分暗い写真が撮影できる。ステップＳ３１４で「明るく・暗く」ではなかった場合ステップＳ３２２に分岐する。
【０１５０】
［ステップＳ３２２］ＤＥＭ＝”色味”
撮影者の選択した要望が「色味」かどうかを判定する。「色味」だった場合はステップＳ３２３へ。違う場合はステップＳ３３０へ分岐する。ステップＳ３２３からＳ３２９ではステップＳ３０７からＳ３１３と同様に、赤くボタン青くボタンを表示、赤くボタンをタッチした場合はＷＢＡＤＪ＝＋１、青くボタンをタッチした場合はＷＢＡＤＪ＝−１に設定される。この後図３のメインフローチャートに戻ると撮影時にステップＳ１２０で画像処理部２４は、メモリ制御部１５に格納されたＲＡＷ画像を読み出し、色補間処理、ホワイトバランス処理、色補正などをおこなう。このときＷＢＡＤＪに設定したオートホワイトバランスの補正量で画像処理が行われる。ＷＢＡＤＪ＝−１では、１段分青みがかった写真が撮影でき、ＥＸＰＡＤＪ＝＋１では、１段分赤みがかった写真が撮影できる。
ステップＳ３２２で「色味」ではなかった場合ステップＳ３３０に分岐する。
【０１５１】
［ステップＳ３３０］ＤＥＭ＝”空を青く”
撮影者の選択した要望が「空を青く」かどうかを判定する。「空を青く」だった場合はステップＳ３３１へ。違う場合はステップＳ３３２へ分岐する。
【０１５２】
［ステップＳ３３１］ＰＡＲＡＭ＝青空
変数ＰＡＲＡＭに青空を格納する。この後図３のメインフローチャートに戻ると撮影時にステップＳ１２０で画像処理部２４は、メモリ制御部１５に格納されたＲＡＷ画像を読み出し、色補間処理、ホワイトバランス処理、色補正などをおこなう。このときＰＡＲＡＭに設定した青空のパラメータで画像処理が行われる。この場合画像処理部２４は、標準より色相をＣｙａｎよりに回転させ、より空を強調する画像処理を行う。ステップＳ３３０で「色味」ではなかった場合ステップＳ３３２に分岐する。
【０１５３】
［ステップＳ３３２］ＤＥＭ＝”緑の色を深く”
撮影者の選択した要望が「緑の色を深く」かどうかを判定する。「緑の色を深く」だった場合は変数ＰＡＲＡＭに森林を格納しステップＳ１２０で画像処理部２４は、より緑を強調する画像処理を行う。ステップＳ３３２で「緑の色を深く」ではなかった場合ステップＳ３３４に分岐する。
【０１５４】
［ステップＳ３３４］ＤＥＭ＝”肌を美しく”
撮影者の選択した要望が「肌を美しく」かどうかを判定する。「肌を美しく」だった場合は変数ＰＡＲＡＭに美肌を格納しステップＳ１２０で画像処理部２４は、より肌色を強調する画像処理を行う。ステップＳ３３４で「肌を美しく」ではなかった場合ステップＳ３３６に分岐する。
【０１５５】
［ステップＳ３３６］ＤＥＭ＝”夕焼け”
撮影者の選択した要望が「夕焼け」かどうかを判定する。「夕焼け」だった場合は変数ＰＡＲＡＭに夕焼けを格納しステップＳ１２０で画像処理部２４は、より夕焼けの赤色を強調する画像処理を行う。ステップＳ３３６で「夕焼け」ではなかった場合ステップＳ３４０に分岐する。
【０１５６】
［ステップＳ３４０］ＶＩＧＡＤＪ＝ＯＮ
変数ＶＩＧＡＤＪにＯＮを格納する。この後図３のメインフローチャートに戻るとＳ１２１でステップＳ１２２に分岐し、周辺光量補正の演算を行い、レンズ１０３により落ちた周辺光量を持ち上げる画像処理をおこなうので、隅まで光量の落ちない画像を生成することが可能になる。
【０１５７】
以上のようにして、そもそも露出補正やホワイトバランスなどの写真用語が理解できていないためにどの設定を変更すれば良いか皆目わからない初心者が撮影をおこなった場合にも、画像の不満のある箇所をタッチするだけで、不満を解消するカメラの設定を変更することが可能になった。
【０１５８】
さらに、主被写体の写真的パラメータに関する「明るく・暗く」「色味」「肌を美しく」の３つの選択肢を表示して選択させることで、撮影者に少ない選択肢から最適な設定項目を選ばせることが可能になった。これにより、動画再生においても不満点を解消することが可能になった。
【実施例２】
【０１５９】
実施例１では、動画再生時のガイダンスに関する装置構成を説明した。実施例１では、動画再生時に一時停止を押し不満点を解消する操作を行うとともに、その後ＳＥＴボタンを押すことでライブビュー表示状態になり動画撮影を行えるような装置構成を説明した。しかし、不満点を解消する操作を行った後に必ずしも動画撮影を行う必要がないと思われる。実施例２では、動画再生時に一時停止を押し不満点を解消する操作を行うとともに、その後のボタン操作で動作を切り替えるような動画再生時のガイダンスに関する装置構成を説明する。
【０１６０】
以下、図面を参照して、本発明の第２の実施例によるガイダンスについて説明する。
【０１６１】
図９は実施例２における撮影処理のフローチャートである。このフローチャートにおける各処理はシステム制御部５０が不揮発性メモリ５６に格納されたプログラムを実行することにより実現される。実施例２の図９のフローチャートは実施例１の図５とほぼ同じなので、異なる部分のみを説明する。
【０１６２】
［ステップＳ３５０］ＳＥＴ
ＳＥＴボタン７５が押されているかどうかを判定する。押されていればステップＳ３５１に進み、押されていなければ、ステップＳ３５０をＳＥＴボタン７５が押されるまで繰り返し実行する。
【０１６３】
［ステップＳ３５１］ミラーアップ＆動画撮影準備
クイックリターンミラー１２を不図示のアクチュエータによりアップ状態にして、撮像部２２へと光束を導き、表示部２８にライブビュー表示を行いフローチャートを終了する。
ユーザーはこの状態で不図示の動画記録開始ボタンを押すことで動画記録を行うことができる。ここでは、ステップＳ３６０で再生ボタン押しで再生表示を行い、また、ステップＳ３５０でＳＥＴボタン押しでライブビュー表示を行うことにしていたが、再生ボタンやＳＥＴボタンではなく、それ以外のボタン押しで同様の動作を実現してもよい。
【０１６４】
このようにして、動画再生時に一時停止を押し不満点を解消する操作を行うとともに、その後のボタン操作で動作を切り替える操作が可能になった。
【実施例３】
【０１６５】
実施例１、２で動画再生時のガイダンスについて説明した。実施例１、２では、動画再生時に一時停止を押し不満点を解消する操作を行うとともに、その後のボタン押しの種類により動作を切り替えるような装置構成を説明した。しかし、動画再生ファイルのすべてに対して不満点を解消するのではなく再生しているシーンが残っていると思われるものに限定してもよいと思われる。そこで、実施例３では再生している動画ファイルの内容を判断し、適合したもののみ不満点を解消することができるような装置構成を説明する。
【０１６６】
以下、図面を参照して、本発明の第３の実施例によるガイダンスについて説明する。
【０１６７】
図１０は実施例３における撮影処理のフローチャートである。このフローチャートにおける各処理はシステム制御部５０が不揮発性メモリ５６に格納されたプログラムを実行することにより実現される。実施例３の図１０のフローチャートは実施例１の図３とほぼ同じなので、異なる部分のみを説明する。
【０１６８】
［ステップＳ１２０］動画ファイルの判定
再生している動画ファイルを判定する。判定の方法は、画像ファイルのタイムスタンプを見て、現時刻から一定時間以内のものを適合と判定したり、画像ファイルに番号が割り当てられている場合は、ファイル名を見て、一定枚数以内のものを適合と判断したり、画像ファイルに記録されているＥＸＩＦ（Ｅｘｃｈａｎｇｅａｂｌｅ  Ｉｍａｇｅ  Ｆｉｌｅ  Ｆｏｒｍａｔ）情報を解析し撮影時の変数となる撮影時間情報を抽出することで、現時刻から一定時間以内のものを適合と判定したりすることが考えられる。適合していると判定されればステップＳ１０４へ進み、適合していないと判定されればステップＳ１０１へ進む。
【０１６９】
このようにして、動画再生時のガイダンス表示において、画像ファイルを判定することで、ユーザーに不満点を解消する意味があると思われるファイルに対して不満点を解消させることが可能となった。
【符号の説明】
【０１７０】
２２  撮像部、２８  表示部、５０  システム制御部、１００  カメラ本体、
１５０  レンズ
【図１】
2017175312.tif 000003
【図２】
2017175312.tif 000004
【図３】
2017175312.tif 000005
【図４】
2017175312.tif 000006
【図５】
2017175312.tif 000007
【図６】
2017175312.tif 000008
【図７】
2017175312.tif 000009
【図８】
2017175312.tif 000010
【図９】
2017175312.tif 000011
【図１０】
2017175312.tif 000012